(57)【要約】【課題】  ヨークの開口端面にアース端子の先端部を簡単かつ確実に接触させて所定の周波帯域の電気ノイズを確実に低減することができるモータのアース構造を提供する。【解決手段】  有底円筒状のヨーク１１と、このヨーク１１の開口部１１ａ内に嵌合されると共に、電気ノイズ低減用のコンデンサ２３を介して接続されるブラシ２５とアース端子２２を取り付けたブラシホルダ１７と、ヨーク１１の開口部１１ａを閉塞するように取り付けられたギヤケース１２とを備えたモータ１０のアース構造において、アース端子２２の先端部２２ｂの先端２２ｃをヨーク１１の開口端面１１ｂに押圧させた状態で接触させる。【選択図】      図４
2005354795.tif 000002
【特許請求の範囲】
【請求項１】
有底円筒状のヨークと、このヨークの開口部内に嵌合されると共に、電気ノイズ低減用のコンデンサを介して接続されるブラシとアース端子を取り付けたブラシホルダと、前記ヨークの開口部を閉塞するように取り付けられたギヤケースとを備えたモータのアース構造において、
前記アース端子の先端部を前記ヨークの開口端面に押圧させて接触させたことを特徴とするモータのアース構造。
【請求項２】
請求項１記載のモータのアース構造であって、
前記アース端子の先端部をへ字状に折り曲げ形成し、このへ字状の先端部を前記ヨークの開口端面と前記ギヤケースとの間で挾持させて、前記へ字状の先端部の先端を前記ヨークの開口端面に接触させたことを特徴とするモータのアース構造。
【請求項３】
請求項２記載のモータのアース構造であって、
前記ギヤケースには、前記ヨークの開口端面に対向して、前記アース端子の先端部を収納する収納凹部が形成され、前記アース端子の先端部は、前記収納凹部内に配置されて前記ヨークの開口端面に接続されていることを特徴とするモータのアース構造。
【発明の詳細な説明】
【技術分野】
【０００１】
本発明は、電気ノイズを低減させるコンデンサとチョークコイル及びアース端子等から成るＥＭＣ（電磁適合性）回路を搭載したモータのアース構造に関する。
【背景技術】
【０００２】
この種のモータとして、図７及び図８に示すものがある（例えば、特許文献１参照）。このモータ１は、図７に示すように、金属製で有底円筒状のヨーク２と、このヨーク２の開口部２ａ内に嵌合されて該開口部２ａを閉塞する合成樹脂製の蓋体３とを備えている。このヨーク２と蓋体３に設けられた軸受２ｂ，３ｂには、アーマチュア４のアーマチュア軸４ａを回転自在に支持してある。
【０００３】
また、アーマチュア軸４ａにはコンミュテータ５を取り付けてあり、このコンミュテータ５には一対のブラシアーム６，６の各先端のカーボンブラシ６ａを接触させている。図８に示すように、この一対のブラシアーム６，６は各ブラシベース７を介して蓋体３に取り付けられており、各ブラシベース７には電気ノイズを低減させるコンデンサ８を介してアース端子９を接続してある。この各アース端子９のボディアース部９ａはＵ字状に折り曲げられて蓋体３の外側に突出している。
【０００４】
そして、ヨーク２の開口部２ａ内に蓋体３が嵌め込まれると、各アース端子９のボディアース部９ａがヨーク２の内周面２ｃに電気的に接続されてボディアースされるようになっている。
【０００５】
【特許文献１】国際公開０１／３９３５４号パンフレット
【発明の開示】
【発明が解決しようとする課題】
【０００６】
しかしながら、前記従来のモータ１のアース構造では、ヨーク２の内周面２ｃにアース端子９のボディアース部９ａを接触させて接地するようにしているため、ヨーク２の内周面２ｃにメッキ等の表面処理が施されている場合には、接触不良（アースの接地不良）が発生し易くなり、所定の周波帯域の電気ノイズを効果的に低減させることが難しかった。
【０００７】
そこで、本発明は、前記した課題を解決すべくなされたものであり、ヨークの開口端面にアース端子の先端部を簡単かつ確実に接触させて所定の周波帯域の電気ノイズを確実に低減することができるモータのアース構造を提供することを目的とする。
【課題を解決するための手段】
【０００８】
請求項１の発明は、有底円筒状のヨークと、このヨークの開口部内に嵌合されると共に、電気ノイズ低減用のコンデンサを介して接続されるブラシとアース端子を取り付けたブラシホルダと、前記ヨークの開口部を閉塞するように取り付けられたギヤケースとを備えたモータのアース構造において、前記アース端子の先端部を前記ヨークの開口端面に押圧させて接触させたことを特徴とする。
【０００９】
請求項２の発明は、請求項１記載のモータのアース構造であって、前記アース端子の先端部をへ字状に折り曲げ形成し、このへ字状の先端部を前記ヨークの開口端面と前記ギヤケースとの間で挾持させて、前記へ字状の先端部の先端を前記ヨークの開口端面に接触させたことを特徴とする。
【００１０】
請求項３の発明は、請求項２記載のモータのアース構造であって、前記ギヤケースには、前記ヨークの開口端面に対向して、前記アース端子の先端部を収納する収納凹部が形成され、前記アース端子の先端部は、前記収納凹部内に配置されて前記ヨークの開口端面に接続されていることを特徴とする。
【発明の効果】
【００１１】
以上説明したように、請求項１の発明によれば、アース端子の先端部をヨークの開口端面に押圧させて接触させたことにより、メッキ等の表面処理が施されていないヨークの開口端面にアース端子の先端部を簡単かつ確実に接触させることができる。これにより、所定の周波帯域の電気ノイズを確実に低減することができる。
【００１２】
請求項２の発明によれば、アース端子の先端部をへ字状に折り曲げるだけの簡単な構造により、アース端子のへ字状の先端部をヨークの開口端面とギヤケースとの間で挾持させて該へ字状の先端部の先端をヨークの開口端面により確実かつ正確に接触させることができる。これにより、所定の周波帯域の電気ノイズをより確実に低減することができる。
【００１３】
請求項３の発明によれば、アース端子のへ字状の先端部をヨークの開口端面とギヤケースの収納凹部との間で位置決めした状態で挾持させ、アース端子のへ字状の先端部の先端をヨークの開口端面に接地するようにしたことにより、ヨークとギヤケース及びアース端子を取り付けたブラシホルダに相対的な位置ずれがあっても、アース端子のへ字状の先端部の先端をヨークの開口端面に確実かつ正確に接触させて接地させることができる。
【発明を実施するための最良の形態】
【００１４】
以下、本発明の一実施形態を図面に基づいて説明する。
【００１５】
図１は本発明の一実施形態のアース構造を適用したモータを示す側面図、図２は同モータを分解した状態を示す側面図、図３は同モータに用いられるアース端子の周辺部分の断面図、図４は同モータのアース構造の断面図、図５は同モータのヨークにブラシホルダを嵌合した状態を示す正面図、図６は同モータに用いられるＥＭＣ回路の構成図である。
【００１６】
図１，図２に示すように、モータ１０は、金属製のヨーク（モータケース）１１と、このヨーク１１の開口部１１ａに設けられた複数のフランジ部１１ｃをビス１３及びナット１４を介して締結固定されて該開口部１１ａを閉塞する樹脂製のギヤケース１２と、このギヤケース１２の図示しない開口部を覆うようにビス１６を介して締結固定されたダイキャスト製のギヤケースカバー１５と、ヨーク１１の開口部１１ａ内に嵌合されると共に、電気ノイズを低減させるＥＭＣ（電磁適合性）回路２０を搭載した樹脂製のブラシホルダ１７とを備えている。尚、このモータ１０は、ブレーキペダルやアクセルペダルの高さを調整する際の駆動アクチュエータとして用いられるペダルアジャスタブルモータである。
【００１７】
図２〜図５に示すように、ブラシホルダ１７は、中央に円筒状の孔部１７ａを形成してあると共に、周壁部１７ｂの両側中央に嵌合凸部１７ｃを一体突出形成してある。このブラシホルダ１７の嵌合凸部１７ｃはギヤケース１２の嵌合凹部１２ｃに嵌め込まれるようになっている。また、ブラシホルダ１７の正面１７ｄには、孔部１７ａを挾むようにして一対のコンタクトプレート２１，２１及び一対のアース端子２２，２２を溶着等の所定手段を介して固着してある。
【００１８】
さらに、図２に示すように、ブラシホルダ１７の周壁部１７ｂの両側中央の上側には電気ノイズ低減用の一対のコンデンサ２３，２３を取り付けてある。これら各アース端子２２と各コンデンサ２３はコンタクトプレート２１を介して接続してある。また、図５に示すように、ブラシホルダ１７の孔部１７ａ内には一対のブラシ２５，２５を突出してある。この各ブラシ２５と各コンデンサ２３とはチョークコイル２４を介して直列に接続されている。これらアース端子２２とコンデンサ２３とチョークコイル２４及びブラシ２５とでＥＭＣ回路（アース回路）２０が構成されている。そして、この一対のブラシ２５，２５は、モータ１０のアーマチュアのアーマチュア軸１８に取り付けられたコンミュテータ１９に接触している。
【００１９】
図３，図５に示すように、各アース端子２２の基部２２ａは略菱形の板状に形成されてブラシホルダ１７の正面１７ｄに溶着等により固着されていると共に、該基部２２ａの中央より舌片状に突出した先端部２２ｂはへ字状に折り曲げ形成されている。そして、図４に示すように、各アース端子２２のへ字状の先端部２２ｂはヨーク１１の開口部１１ａの開口端面１１ｂとギヤケース１２の収納凹部１２ｂとの間で位置決めした状態で挾持されており、該へ字状の先端部２２ｂの先端２２ｃはヨーク１１の開口端面１１ｂに押圧された状態で接触するようになっている。
【００２０】
以上実施形態のモータ１０のアース構造によれば、アース端子２２の先端部２２ｂの先端２２ｃをヨーク１１の開口部１１ａの開口端面１１ｂに押圧させた状態で接触させたことにより、メッキ等の表面処理が施されていないヨーク１１の開口端面１１ｂにアース端子２２の先端部２２ｂの先端２２ｃを簡単かつ確実に接触させることができる。これにより、所定の周波帯域の電気ノイズを確実に低減することができる。
【００２１】
特に、図４に示すように、アース端子２２の先端部２２ｂをへ字状に折り曲げるだけの簡単な構造により、アース端子２２のへ字状の先端部２２ｂをヨーク１１の開口端面１１ｂとギヤケース１２の収納凹部１２ｂとの間で位置決めした状態で挾持させて、該アース端子２２のへ字状の先端部２２ｂの先端２２ｃをヨーク１１の開口端面１１ｂにより確実かつ正確に接触させることができる。これにより、所定の周波帯域の電気ノイズをより確実に低減することができる。
【００２２】
また、アース端子２２のへ字状の先端部２２ｂをヨーク１１の開口端面１１ｂとギヤケース１２の収納凹部１２ｂとの間で位置決めした状態で挾持させ、アース端子２２のへ字状の先端部２２ｂの先端２２ｃをヨーク１１の開口端面１１ｂに接地するようにしたことにより、ヨーク１１とギヤケース１２及びアース端子２２を取り付けたブラシホルダ１７に相対的な位置ずれがあっても、アース端子２２のへ字状の先端部２２ｂの先端２２ｃをヨーク１１の開口端面１１ｂに確実かつ正確に接触させて接地させることができる。
【００２３】
尚、前記実施形態によれば、モータとしてペダルアジャスタブルモータに適用した場合について説明したが、ワイパモータ等の他のモータに適用しても良い。
【図面の簡単な説明】
【００２４】
【図１】本発明の一実施形態のアース構造を適用したモータを示す側面図である。
【図２】上記モータを分解した状態を示す側面図である。
【図３】上記モータに用いられるアース端子の周辺部分の断面図である。
【図４】上記モータのアース構造の断面図である。
【図５】上記モータのヨークにブラシホルダを嵌合した状態を示す正面図である。
【図６】上記モータに用いられるＥＭＣ回路の構成図である。
【図７】従来のモータの上半分を断面で示す側面図である。
【図８】上記従来のモータのケース蓋を内側から見た斜視図である。
【符号の説明】
【００２５】
１０  モータ
１１  ヨーク
１１ａ  開口部
１１ｂ  開口端面
１２  ギヤケース
１７  ブラシホルダ
２２  アース端子
２２ｂ  先端部
２２ｃ  先端
２３  コンデンサ
２５  ブラシ
【図１】
2005354795.tif 000003
【図２】
2005354795.tif 000004
【図３】
2005354795.tif 000005
【図４】
2005354795.tif 000006
【図５】
2005354795.tif 000007
【図６】
2005354795.tif 000008
【図７】
2005354795.tif 000009
【図８】
2005354795.tif 000010